(57)【特許請求の範囲】
【請求項１】
表示画面と、第１の電子部品が実装され前記表示画面と平行に設置される第１の基板と、第２の電子部品が実装され前記第１の基板に接続される第２の基板とを筐体の内部に備えた情報処理装置であって、
前記筐体内に前記第１の基板と重ならないように設置され、前記第１の電子部品の熱を前記筐体の外に排出する第１の放熱ファンと、
前記第２の基板上に前記第２の電子部品に近接して前記筐体の短手方向中央寄りで、前記筐体の長手方向端部寄りに設置され、前記第２の電子部品の熱を前記筐体の外に排出する前記第１の放熱ファンよりも小型の第２の放熱ファンと、を有することを特徴とする情報処理装置。
【請求項２】
前記第１の放熱ファンが前記第１の電子部品からヒートパイプで接続されたヒートシンクに向けて送風することで排熱することを特徴とする請求項１記載の情報処理装置。
【請求項３】
前記第２の電子部品の発熱量が前記第１の電子部品の発熱量より小さいことを特徴とする請求項１または２記載の情報処理装置。
【請求項４】
前記第１の電子部品がＣＰＵであることを特徴とする請求項１から３のいずれか１項に記載の情報処理装置。
【請求項５】
前記第２の電子部品がＴＶチューナであることを特徴とする請求項１から４のいずれか１項に記載の情報処理装置。
【発明の詳細な説明】
【技術分野】
【０００１】
本発明は、電子部品を冷却する放熱ファンを備えた情報処理装置に関する。
【背景技術】
【０００２】
従来から、パーソナルコンピュータ（ＰＣ）にＴＶ装置が搭載され、ＴＶ番組を長時間視聴するとＰＣに熱が発生していた。ＴＶ番組を受信するＴＶチューナやＣＰＵ等の電子部品は熱の発生により故障の原因になる。
そこで、ＴＶチューナの発熱と、ＣＰＵの発熱とを、１つの大型の放熱ファンでＰＣの外に逃がしていた。
【０００３】
ＴＶチューナの冷却は、ＰＣの吸気口から放熱ファンへの流路途中にＴＶチューナを配置し、放熱ファンを動作させることで行う。ＣＰＵと共にＴＶチューナにも温度センサを置いて温度に応じた冷却を行うが、このような冷却方式のため、適切な冷却には大きな放熱ファンで風量を確保する必要がある。
【０００４】
ＴＶチューナを備えていないＰＣの場合、冷却構造自体はＴＶチューナを備えているＰＣと変わらない。ＴＶチューナを備えていないＰＣはＴＶチューナの温度に応じた冷却がなくなるので、ＴＶチューナを備えているＰＣよりも放熱ファンの回転数が小さくなる。
【０００５】
特許文献１には、筐体に吸気口と排気口が形成され、ＣＰＵとビデオ・チップが実装された放熱システムが開示されている。
ＣＰＵの熱はヒート・パイプを経由してヒートシンクに運ばれ、ビデオ・チップの熱はヒート・パイプを経由してヒートシンクに運ばれる。温度センサはＣＰＵの温度を監視し、温度センサは、ビデオ・チップの温度を監視する。
【０００６】
放熱ファンが動作すると吸気口から外気を吸気しヒートシンクを経由して排気口から筐体内の空気を排気してＣＰＵとビデオ・チップから放熱する。回転ドアは、ステッピング・モータで駆動され、放熱ファンがヒートシンクに供給する空気量の割合を調整する。
【先行技術文献】
【特許文献】
【０００７】
【特許文献１】特許第４５６７０６７号公報
【発明の概要】
【発明が解決しようとする課題】
【０００８】
しかし、従来技術では、ＴＶチューナのように実装されたり実装されなかったりする部品の冷却を行う場合に、１つの大型の放熱ファンをＰＣに設置するとＰＣが大型化し、本体の厚みが大きくなってしまうという問題があった。
【０００９】
また、特許文献１に開示されている技術では、大型の放熱ファンでＣＰＵの他にＨＤＤ等の電子部品を冷却しているが、ＰＣの小型化と薄型化の問題は解決できていない。
【００１０】
本発明は、前記課題を解決するためのものであり、その目的とするところは、ＣＰＵ用の放熱ファンの他に、ＴＶチューナ用の小型の放熱ファンを別個設け、放熱効率を改善することにより、本体を小型化と薄型化できる情報処理装置を提供することにある。
【課題を解決するための手段】
【００１１】
かかる目的を達成するために、本発明は、以下の特徴を有する。
【００１２】
本発明に係る情報処理装置は、表示画面と、第１の電子部品が実装され表示画面と平行に設置される第１の基板と、第２の電子部品が実装され第１の基板に接続される第２の基板とを筐体の内部に備えた情報処理装置であって、筐体内に第１の基板と重ならないように設置され、第１の電子部品の熱を筐体の外に排出する第１の放熱ファンと、第２の基板上に第２の電子部品に近接して筐体の短手方向中央寄りで、筐体の長手方向端部寄りに設置され、第２の電子部品の熱を筐体の外に排出する第１の放熱ファンよりも小型の第２の放熱ファンと、を有することを特徴とする。
【発明の効果】
【００１３】
本発明によれば、ＣＰＵ用の放熱ファンの他に、ＴＶチューナ用の小型の放熱ファンを別個設け、放熱効率を改善することにより、本体を小型化と薄型化できる。
【図面の簡単な説明】
【００１４】
【図１】本実施形態に係る情報処理装置を示す正面図である。
【図２】本実施形態に係る情報処理装置の本体を示す斜視図である。
【図３】本実施形態に係る情報処理装置の本体内部の構成を示す概略図である。
【発明を実施するための形態】
【００１５】
以下、本実施形態について図面により詳細に説明する。
【００１６】
図１は、本実施形態に係る情報処理装置１を示す正面図である。図２は、本実施形態に係る情報処理装置１の本体２を示す斜視図である。情報処理装置１は、本体２と表示画面３が一体になっている。情報処理装置１の表面に表示画面３が設置され、表示画面３の下部に脚部４が設置されている。
表示画面３の外枠５の上部には、マイク６とカメラ７とが設置されている。マイク６は音声を入力し、カメラ７は前方のユーザ等を撮影することができる。
【００１７】
情報処理装置１の裏面には、本体２を支えるための支持部８が設置されている。支持部８はヒンジ９により、本体２に接続されているので、支持部８を開閉させることにより、本体２の傾きの角度を変更することができる。
【００１８】
情報処理装置１は、裏面に樹脂製のカバー１０が取り付けられ、カバー１０は取り外すことができる。
カバー１０の右側には、メモリが挿入される位置に蓋１１が取り付けられ、蓋１１の下に放熱ファンからの送風を排出できる吹出口１２が形成されている。吹出口１２の位置は、ＴＶチューナと小型の放熱ファンの真上である。吹出口１２は長手方向に延在し、上下２列に細長い形状の溝が複数並んでいる。
【００１９】
また、蓋１１の右隣りには、小さい吹出口１３が上下４列に形成されている。１つの列には、上下方向に細長い形状の溝が複数並んでいる。吹出口１３からメモリの放熱がされる。
【００２０】
さらに、カバー１０の中央の上部には１列の吹出口１４が形成され、吹出口１４には上下方向に細長い形状の溝が複数並んでいる。ＣＰＵを冷却したＣＰＵ用の放熱ファンからの送風が排出される。
【００２１】
図３は、本実施形態に係る情報処理装置１の本体２内部の構成を示す概略図である。表示画面３の裏側は金属板２１で覆われている。金属板２１の右側には基板２２が設置され、金属板２１の中央の上部にはＣＰＵ用の放熱ファン２７が設置されている。
【００２２】
また、放熱ファン２７の下方向にはＨＤＤ３３が設置され、放熱ファン２７の左側にはＣＤ・ＤＶＤドライブ３４が搭載されている。他にも電子部品が多数設置されているが、図示と説明を省略する。
なお、多数の電子部品の位置は本実施形態に限定されず、それぞれ他の位置に設置されていてもよい。
【００２３】
基板２２には、ＴＶチューナ２３と小型の放熱ファン２４とＣＰＵ２５とメモリ２６と他の電子部品とが多数設置されている。ＴＶチューナ２３と小型の放熱ファン２４は本体２の中央付近に並び、ＴＶチューナ２３は内側で放熱ファン２４は外側である。
【００２４】
ＣＰＵ２５とメモリ２６は基板２２の上部に並び、ＣＰＵ２５は内側でメモリ２６は外側である。ＣＰＵ２５はＴＶチューナ２３の上方向にあり、メモリ２６は放熱ファン２４の上方向にある。
【００２５】
ＴＶチューナ２３は、ＴＶ番組を受信するための機器である。小型の放熱ファン２４は、ＴＶチューナ２３を冷却する。ＴＶチューナ２３の発熱量は、ＣＰＵ２５の発熱量より小さい。
なお、小型の放熱ファン２４は、ＴＶチューナ２３を冷却するだけに限られず、周辺に設置されているメモリ２６等の他の電子部品を冷却してもよい。
【００２６】
小型の放熱ファン２４は羽根部３５が回転することにより、図示した矢印方向に送風される。ＴＶチューナ２３から発生した熱は、小型の放熱ファン２４の羽根部３５が回転することにより、吸引され、図示した矢印方向に移動し、吹出口１２から排出される。
【００２７】
ＣＰＵ２５は低消費電流タイプであり、発熱量が従来機種と比較して低下したので、ＣＰＵ用の放熱ファン２７は小型で、薄型にすることができた。放熱ファン２７のヒートシンク２８には、ヒートパイプ３７の一端が固定され、基板２２上のＣＰＵ２５の上部にはヒートパイプ３７の他端が固定される。放熱ファン２７は、ＣＰＵ２５からヒートパイプ３７で接続されたヒートシンク２８に向けて送風することで排熱する。
【００２８】
放熱ファン２７は羽根部２９を有し、放熱ファン２７の一端には、金属製の送風口３０を備えたヒートシンク２８が固定されている。送風口３０は複数の仕切り板３１を有し、放熱ファン２７は羽根部２９が回転することにより、図示した矢印の方向に送風され、ＣＰＵ２５は冷却される。送風は吹出口１４から排出される。
【００２９】
送風口３０の金属板２１側の平面には仕切り部材３２が設置され、仕切り部材３２の先端は凹部３６に嵌め込まれる。仕切り部材３２の先端の中空部には、マイク６とカメラ７とが設置されている。
【００３０】
本実施形態によれば、ＣＰＵ用の放熱ファンの他に、ＴＶチューナ用の小型の放熱ファンを別個設け、放熱効率を改善することにより、本体を小型化と薄型化できる。
【００３１】
また、上述した実施の形態は、本発明の好適な実施の形態の一例を示すものであり、本発明はそれに限定されることなく、その要旨を逸脱しない範囲内において、種々変形実施が可能である。
【符号の説明】
【００３２】
１    情報処理装置
２    本体
３    表示画面
１０    カバー
１１    蓋
１２    吹出口
２１    金属板
２２    基板
２３    ＴＶチューナ
２４    小型の放熱ファン
２５    ＣＰＵ
２６    メモリ
２７    ＣＰＵ用の放熱ファン
２８    ヒートシンク
２９    羽根部
３０    送風口
３１    仕切り板
３２    仕切り部材
３７    ヒートパイプ
【図１】
0005963786.tif 000002
【図２】
0005963786.tif 000003
【図３】
0005963786.tif 000004